(57)【要約】  本発明は、ベースと、ベースに設けられた背極板と、振動板とを含み、背極板が振動板の上側及び/又は下側に設けられ、振動板に突出層又はパターン付き構造層が設けられているコンデンサー型マイクロフォンを提供する。上記した発明によれば、振動板の面積及びコンデンサー型マイクロフォンの側面の容量を増加させ、コンデンサー型マイクロフォンの感度を向上させる効果を奏することができる。【選択図】図１
2019537847.tif 000002
【特許請求の範囲】
【請求項１】
ベースと、前記ベースに設けられた背極板と、振動板とを含むコンデンサー型マイクロフォンにおいて、
前記背極板は、前記振動板の上側及び/又は下側に設けられ、
前記振動板には、突出層又はパターン付き構造層が設けられていることを特徴とするコンデンサー型マイクロフォン。
【請求項２】
前記振動板に突出層が設けられている場合、前記背極板が支持層を介して前記ベースに設けられ、前記振動板が絶縁層を介して前記背極板のうち前記ベースからより遠く離れた側に設けられ、
前記振動板には、前記背極板側に垂直に延びる突出層が設けられていることを特徴とする請求項１に記載のコンデンサー型マイクロフォン。
【請求項３】
前記振動板に突出層が設けられている場合、前記振動板が支持層を介して前記ベースに設けられ、前記背極板が絶縁層を介して前記振動板のうち前記ベースからより遠く離れた側に設けられ、
前記振動板には、前記背極板側に垂直に延びる突出層が設けられていることを特徴とする請求項１に記載のコンデンサー型マイクロフォン。
【請求項４】
前記振動板にパターン付き構造層が設けられている場合、前記背極板が支持層を介して前記ベースに設けられ、前記振動板が絶縁層を介して前記背極板のうち前記ベースからより遠く離れた側に設けられ、
前記振動板には、前記背極板の構造に合わせ且つ凹凸状に配置されたパターン付き構造層が設けられていることを特徴とする請求項１に記載のコンデンサー型マイクロフォン。
【請求項５】
前記振動板にパターン付き構造層が設けられている場合、前記振動板が支持層を介して前記ベースに設けられ、前記背極板が絶縁層を介して前記振動板のうち前記ベースからより遠く離れた側に設けられ、
前記振動板には、前記背極板の構造に合わせ且つ凹凸状に配置されたパターン付き構造層が設けられていることを特徴とする請求項１に記載のコンデンサー型マイクロフォン。
【請求項６】
前記振動板に突出層が設けられている場合、前記背極板が前記振動板の両側に設けられ、
前記振動板の両側には、対応する側の背極板に垂直に延びる突出層がそれぞれ設けられていることを特徴とする請求項１に記載のコンデンサー型マイクロフォン。
【請求項７】
前記振動板にパターン付き構造層が設けられている場合、前記背極板が前記振動板の両側に設けられ、
前記振動板には、両側の背極板の構造のいずれにも合わせ且つ凹凸状に配置されたパターン付き構造層が設けられていることを特徴とする請求項１に記載のコンデンサー型マイクロフォン。
【請求項８】
前記突出層又はパターン付き構造層と前記振動板は一体成形構造であることを特徴とする請求項１に記載のコンデンサー型マイクロフォン。
【請求項９】
前記コンデンサー型マイクロフォンの内部回路と外部回路を接続するための電極をさらに含むことを特徴とする請求項１に記載のコンデンサー型マイクロフォン。
【請求項１０】
請求項１〜９のいずれか１項に記載のコンデンサー型マイクロフォンを含むことを特徴とする電子装置。
【発明の詳細な説明】
【技術分野】
【０００１】
本発明は、音響技術分野に関し、より具体的には、コンデンサー型マイクロフォン及び電子装置に関する。
【背景技術】
【０００２】
社会の進歩と技術の発展に伴い、近年には、携帯電話やノートパソコンなどの電子製品の体積がますます小さくなり、これらの携帯電子製品の性能に対する要求もますます高まっているため、それとセットになる電子部品の体積を小さくするとともに、性能と整合性を向上することが望まれている。コンデンサー型マイクロフォンが携帯電話やノートパソコンなどの電子製品に大量に適用され始め、そのパッケージの体積が従来のエレクトレット型マイクフォンより小さいため、多くのマイクフォンメーカーから好評を得ている。
【０００３】
その中、コンデンサー型マイクロフォンは、主に、導体間のコンデンサーの充放電を利用し、振動板により音圧を感知し、導体間の静電電圧の変化を電気信号に直接変換するものである。コンデンサー型マイクロフォンの感度は、主に、容量値及び感知された音圧の変化による容量値の変化量に決められる。従来のコンデンサー型マイクロフォンは、振動板の面積が限られているため、側面の容量が不足し、製品の感度の向上に影響を与えることがある。
【発明の概要】
【０００４】
本発明は、上記課題に鑑みてなされたものであり、従来のコンデンサー型マイクロフォンの構造に起因し、製品の感度の向上が制限されて製品の性能に影響を与えるといった課題を解決するためのコンデンサー型マイクロフォン及び電子装置を提供することを目的とする。
【０００５】
本発明は、ベースと、ベースに設けられた背極板と、振動板とを含み、背極板が振動板の上側及び/又は下側に設けられ、振動板に突出層又はパターン付き構造層が設けられているコンデンサー型マイクロフォンを提供する。
【０００６】
また、振動板に突出層が設けられている場合、背極板が支持層を介してベースに設けられ、振動板が絶縁層を介して背極板のうちベースからより遠く離れた側に設けられ、振動板には、背極板側に垂直に延びる突出層が設けられているように構成されることは好ましい。
【０００７】
また、振動板に突出層が設けられている場合、振動板が支持層を介してベースに設けられ、背極板が絶縁層を介して振動板のうちベースからより遠く離れた側に設けられ、振動板には、背極板側に垂直に延びる突出層が設けられているように構成されることは好ましい。
【０００８】
また、振動板にパターン付き構造層が設けられている場合、背極板が支持層を介してベースに設けられ、振動板が絶縁層を介して背極板のうちベースからより遠く離れた側に設けられ、振動板には、背極板の構造に合わせ且つ凹凸状に配置されたパターン付き構造層が設けられているように構成されることは好ましい。
【０００９】
また、振動板にパターン付き構造層が設けられている場合、振動板が支持層を介してベースに設けられ、背極板が絶縁層を介して振動板のうちベースからより遠く離れた側に設けられ、振動板には、背極板の構造に合わせ且つ凹凸状に配置されたパターン付き構造層が設けられているように構成されることは好ましい。
【００１０】
また、振動板に突出層が設けられている場合、背極板が振動板の両側に設けられ、振動板の両側には、対応する側の背極板に垂直に延びる突出層がそれぞれ設けられているように構成されることは好ましい。
【００１１】
また、振動板にパターン付き構造層が設けられている場合、背極板が振動板の両側に設けられ、振動板には、両側の背極板の構造のいずれにも合わせ且つ凹凸状に配置されたパターン付き構造層が設けられているように構成されることは好ましい。
【００１２】
また、突出層又はパターン付き構造層と振動板は一体成形構造であることは好ましい。
【００１３】
また、コンデンサー型マイクロフォンの内部回路と外部回路を接続するための電極をさらに含むように構成されることは好ましい。
【００１４】
本発明のその他の形態によれば、上記したコンデンサー型マイクロフォンを含む電子装置を提供する。
【００１５】
上記したコンデンサー型マイクロフォン及び電子装置によれば、背極板が振動板の上側及び/又は下側に設けられ、振動板には突出層又はパターン付き構造層が設けられているため、突出層又はパターン付き構造層によって製品の側面の容量値を増加させ、製品の感度を向上させることができる。
【００１６】
上記及び関連目的を実現するために、本発明の一つ又は複数の形態は後述する特徴を含む。以下の説明及び図面は、本発明のいくつかの例示的な形態を詳細に説明している。しかしながら、これらの形態は本発明の原理を適用可能な種々の形態の一部だけを示すものである。なお、本発明はこれらの形態やそれに均等な形態を含む。
【００１７】
以下の図面を参照しながら説明し、それに、本発明に対するより全面的な理解することに伴い、本発明のその他の目的及び効果は、より明らかで理解しやすくなる。
【図面の簡単な説明】
【００１８】
【図１】図１は、本発明の実施例１によるコンデンサー型マイクロフォンの構造の概略図である。
【図２】図２は、本発明の実施例２によるコンデンサー型マイクロフォンの構造の概略図である。
【図３】図３は、本発明の実施例３によるコンデンサー型マイクロフォンの構造の概略図である。
【図４】図４は、本発明の実施例４によるコンデンサー型マイクロフォンの構造の概略図である。
【図５】図５は、本発明の実施例５によるコンデンサー型マイクロフォンの構造の概略図である。
【図６】図６は、本発明の実施例６によるコンデンサー型マイクロフォンの構造の概略図である。
【発明を実施するための形態】
【００１９】
以下では、一つ又は複数の実施例に対して全面的に理解するように説明するために、多くの具体的な詳細構成を述べる。しかしながら、それらの具体的な詳細構成が省略された場合でもこれらの実施例を実現し得る。その他の実施例では、一つ又は複数の実施例を容易に説明するために、ブロック図で周知の構造や設備を示している。
【００２０】
本発明の説明において、「上」、「下」、「水平」、「鉛直」などの用語が示す方向や位置関係は、図面に示された方向や位置関係に基づいており、本発明を容易に説明したり、説明を簡素化したりするためのものであり、示された装置や素子が必ず特定の方向を有し、特定の方向で構造されたり操作されたりすることを規定又は示唆するものではないため、本発明を限定するものではない。
【００２１】
従来のコンデンサー型マイクロフォンの感度を向上させるために、本発明のコンデンサー型マイクロフォンは、背極板を振動板の上側及び/又は下側に設け、振動板に突出層又はパターン付き構造層を設けるように構成されており、突出層又はパターン付き構造層によって、製品の側面の容量を増加させ、製品の感度及び音響性能を向上させることを図る。
【００２２】
以下、本発明の実施例のコンデンサー型マイクロフォンの構造を詳細に説明するために、本発明の具体的な実施例について図面を参照しながら詳細に説明する。
【００２３】
図１は、本発明の実施例１によるコンデンサー型マイクロフォンの構造を示す。
【００２４】
図１に示すように、本発明の実施例１のコンデンサー型マイクロフォンは、ベース１と、支持層２を介してベース１に設けられた背極板３と、絶縁層７を介して背極板３のうちベース１からより遠く離れた側（下向き）に設けられた振動板５とを含み、振動板５には、背極板３側に垂直に延びる複数の突出層５１が設けられており、突出層５１は垂直状で等間隔に配置され、背極板３の孔内まで延びている。突出層５１によって振動板５全体の面積を増加させることにより、コンデンサー型マイクロフォンの側面の容量（振動板５と背極板３との間の容量）を増加させるとともに製品の感度を向上させる目的を達成する。
【００２５】
なお、振動板５には、外部と連通する少なくとも一つの放音孔６がさらに設けられている。放音孔６は、振動板５のうち突出層５１が設けられていない箇所に設けられている。
【００２６】
図２は、本発明の実施例２によるコンデンサー型マイクロフォンの構造を示す。
【００２７】
図２に示すように、本発明の実施例２のコンデンサー型マイクロフォンは、ベース１と、支持層２を介してベース１に設けられた振動板５と、絶縁層７を介して振動板５のうちベース１からより遠く離れた側に設けられた背極板３とを含み、振動板５には、背極板３側（上向き）に垂直に延びる複数の突出層５１が設けられており、突出層５１は垂直状で等間隔に配置され、背極板３の孔内まで延びている。突出層５１によって振動板５全体の面積を増加させることにより、結果的に側面の容量を増加させるとともに製品の感度を向上させる目的を達成する。
【００２８】
図３は、本発明の実施例３によるコンデンサー型マイクロフォンの構造を示す。
【００２９】
図３に示すように、本発明の実施例３のコンデンサー型マイクロフォンは、ベース１と、支持板を介してベース１に設けられた背極板３と、絶縁層７を介して背極板３のうちベース１からより遠く離れた側に設けられた振動板５とを含み、振動板５には、背極板３の構造に合わせ且つ凹凸状に配置されたパターン付き構造層５２が設けられている。当該パターン付き構造層５２は、主に振動板５全体の構造が凹凸状に配置されていることを意味する。つまり、振動板５の面積を増加させるために、振動板５は背極板３の孔構造に合わせた凹凸状のパターン付き構造とされている。
【００３０】
なお、振動板５には、外部と連通する少なくとも一つの放音孔６がさらに設けられている。放音孔６は、振動板５のうち背極板３からより遠く離れた側の突起箇所に設けられている。
【００３１】
図４は、本発明の実施例４によるコンデンサー型マイクロフォンの構造を示す。
【００３２】
図４に示すように、本発明の実施例４のコンデンサー型マイクロフォンは、ベース１と、支持板を介してベース１に設けられた振動板５と、絶縁層７を介して振動板５のうちベース１からより遠く離れた側に設けられた背極板３とを含み、振動板５には、背極板３の構造に合わせ且つ凹凸状に配置されたパターン付き構造層５２が設けられている。当該パターン付き構造層５２は、主に振動板５全体の構造が凹凸状に配置されていることを意味する。当該実施例における振動板の構造は、設置位置（背極板との相対位置）及び放音孔の設置が相違する点を除き、実施例３における振動板の構造と類似する。
【００３３】
図５は、本発明の実施例５によるコンデンサー型マイクロフォンの構造を示す。
【００３４】
図５に示すように、本発明の実施例５のコンデンサー型マイクロフォンは、振動板５と、振動板５の両側に設けられた二つの背極板３（上背極板と下背極板を含む）とを含み、下背極板が支持層２を介してベース１に設けられ、振動板５が下背極板のうちベース1からより遠く離れた側に設けられており、振動板５のうちベース1からより遠く離れた側にはさらに上背極板が設けられ、振動板５が上背極板と下背極板との間に位置する。
【００３５】
具体的には、振動板５の上下両側には、対応する側の背極板３に垂直に延びる複数の突出層５１がそれぞれ設けられており、突出層５１は垂直状で等間隔に配置され、対応する側の背極板３の孔内まで延びる。振動板５の上側に位置する突出層と振動板５の下側に位置する突出層とは、互いに均等に配置された状態となっている。即ち、水平方向において、隣接する突出層５１同士の間隔はいずれも同じである。
【００３６】
図６は、本発明の実施例６によるコンデンサー型マイクロフォンの構造を示す。
【００３７】
図６に示すように、本発明の実施例６のコンデンサー型マイクロフォンは、振動板５と、振動板５の両側に設けられた二つの背極板３（上背極板と下背極板を含む）とを含み、下背極板が支持層２を介してベース１に設けられ、振動板５が下背極板のうちベース１からより遠く離れた側に設けられており、振動板５のうちベース１からより遠く離れた側にはさらに上背極板が設けられ、振動板５が上背極板と下背極板との間に位置する。
【００３８】
具体的には、上背極板と下背極板の穴は互いに間隔を開けて配置されており、振動板５には、両側の背極板３の構造のいずれにも合わせ且つ凹凸状に配置されたパターン付き構造層５２が設けられている。当該パターン付き構造層５２は、主に振動板５全体の構造が凹凸状に配置されていることを意味する。これにより、背極板３の孔内にて突起した振動板構造を形成することで、側面の容量を増加させるとともに製品の感度を向上させる目的を達成する。
【００３９】
本発明の実施例における突出層５１又はパターン付き構造層５２は、いずれも振動板５の構成形態の一種類であり、突出層５１又はパターン付き構造層５２と振動板５が一体成形構造とされている。換言すれば、振動板５が非水平の状態で配置され、整然とした凹凸状に配置されたり、既存の水平な振動板５に振動板５の一側及び/又は両側に対して垂直に延出する突起構造を設けたりしたものである。突出層５１とパターン付き構造層５２によって振動板５全体の面積を増加させることにより、コンデンサー型マイクロフォンの側面の容量を増加させ、製品の感度を向上させることを図る。
【００４０】
本発明の一実施形態において、コンデンサー型マイクロフォンは、それぞれ振動板５の両側に設けられ、コンデンサー型マイクロフォンの内部回路と外部回路を接続するための二つの電極４をさらに備える。
【００４１】
本発明は、上記したコンデンサー型マイクロフォンとともに、さらに筐体と筐体内に格納される上記したコンデンサー型マイクロフォンとを含む電子装置を提供する。
【００４２】
上記のように、本発明によるコンデンサー型マイクロフォン及び電子装置について、図面を参照しながら例示的に説明したが、本発明により提案された上記コンデンサー型マイクロフォン及び電子装置に対して、本発明の要旨を逸脱しない範囲で、種々の改良を行うことは当業者にとって理解できる。よって、本発明の範囲は、特許請求の範囲に記載された内容によって限定されている。
【符号の説明】
【００４３】
１・・・ベース
２・・・支持層
３・・・背極板
４・・・電極
５・・・振動板
５１・・・突出層
５２・・・パターン付き構造層
６・・・放音孔
７・・・絶縁層
【図１】
2019537847.tif 000003
【図２】
2019537847.tif 000004
【図３】
2019537847.tif 000005
【図４】
2019537847.tif 000006
【図５】
2019537847.tif 000007
【図６】
2019537847.tif 000008
【国際調査報告】
2019537847.tif 000009
2019537847.tif 000010
2019537847.tif 000011
2019537847.tif 000012